(57)【要約】【課題】小型化・薄型化してもフレア現象を十分に抑制することのできるカメラモジュールを提供する。【解決手段】基板５上の撮像素子４とレンズ１とが間隙を有して配置されるように、基板５上に枠体２が形成される。また、撮像素子４とレンズ１との間に赤外除去フィルタ３を具備し、赤外除去フィルタ３は、撮像素子４と密接するように形成される。【選択図】　図１
2004064272.tif 000002
【特許請求の範囲】
【請求項１】
基板上の撮像素子とレンズとが間隙を有して配置されるように、前記基板上に枠体が形成され、前記撮像素子と前記レンズとの間に赤外除去フィルタを具備するカメラモジュールであって、
前記赤外除外フィルタは、前記撮像素子に密接していることを特徴とするカメラモジュール。
【請求項２】
前記枠体と、前記赤外除外フィルタとは、離間していることを特徴とする請求項１記載のカメラモジュール。
【請求項３】
前記枠体は、前記レンズに当接されるレンズ側枠体と前記基板に当接される基板側枠体とに分割して形成され、前記レンズ側枠体と前記基板側枠体とは、前記レンズと前記撮像素子との間の距離を変更可能に取り付けられることを特徴とする請求項１または２記載のカメラモジュール。
【発明の詳細な説明】
【０００１】
【発明の属する技術分野】
本発明は、ＣＣＤ、ＣＭＯＳ等の撮像素子を用いたカメラモジュールに関する。
【０００２】
【従来の技術】
近年、携帯電話や情報端末用の撮像素子として、ＣＣＤ、ＣＭＯＳ等の撮像素子を用いたカメラモジュールが開発されている。図３は従来のカメラモジュールを示す概略断面図である。図３に示すように、基板５上の撮像素子４とレンズ１とが間隙を有して配置されるように、前記基板５上に枠体９が形成されている。
【０００３】
また、前記撮像素子４と前記レンズ１との間に赤外除去フィルタ１０を具備している。ＣＣＤやＣＭＯＳ等の撮像素子４には、人間の眼では見えない赤外領域の光に対しても感度を有する特性があり、このような入射光が枠体９内で反射すると反射した光が撮像素子４に受光され、露光ムラや露出カブリが発生するフレア現象の原因となる。このような不可視領域の光を除去するために、赤外除去フィルタ１０（ＩＲカットフィルタ）が用いられる。赤外除去フィルタ１０を設けることにより、フレア現象の発生を低減させ、人間が普段見ている状態と同様の自然な画像を得ることができる。
【０００４】
【発明が解決しようとする課題】
しかし、従来のカメラモジュールには、以下のような問題があった。図３のような従来のカメラモジュールの構成では、赤外除外フィルタ１０と撮像素子４との間に空気層が存在するため赤外除去フィルタ１０を通過した入射光が撮像素子４に受光されるまでに枠体９によって反射される場合があり、これがフレア現象の原因となる場合があった。
【０００５】
また、従来のような構成において、赤外除外フィルタ１０の周辺部がフレア現象が発生し易い領域となることがあった。より具体的に説明すると、赤外除去フィルタ１０を枠体９に設置するために設けられた枠体９のエッジ部１１で入射光の回折が起こり、赤外除去フィルタ１０の周辺部における輝度が高くなる。このため、赤外除去フィルタ１０の端面１２における反射が、フレア現象を発生させる原因となり易い場合があった。端面１２における反射を抑制するために、端面１２と枠体９とが離間するように赤外除去フィルタ１０を設けることも考えられるが、小型化が進むカメラモジュールにおいては、端面１２が枠体９に当接しないように位置決めするのは困難であった。
【０００６】
さらに、小型化、薄型化が進む携帯電話等の小型機器に当該カメラを搭載するために、撮像素子４の寸法やレンズ１の寸法を含めたカメラモジュール全体の寸法がどんどん小型化している現状において、枠体９が小さくなると、前述の赤外除去フィルタ１０の周辺部であるフレア現象の発生しやすい領域が径方向に相対的に拡大し、撮像素子４に反射光が受光され易くなることとなり、画像の周辺部であるとしても、無視できなくなっている問題があった。
【０００７】
本発明は、かかる従来技術の問題点を解決するべくなされたもので、小型化・薄型化してもフレア現象を十分に抑制することのできるカメラモジュールを提供することを目的とする。
【０００８】
【課題を解決するための手段】
本発明に係るカメラモジュールは、上記課題を解決するためになされたものであり、基板上の撮像素子とレンズとが間隙を有して配置されるように、前記基板上に枠体が形成され、前記撮像素子と前記レンズとの間に赤外除去フィルタを具備するカメラモジュールであって、前記赤外除外フィルタは、前記撮像素子に密接していることを特徴とする。
【０００９】
また、本発明に係るカメラモジュールは請求項２のように、前記枠体と、前記赤外除外フィルタとは、離間していることを特徴とする。
【００１０】
さらに、本発明に係るカメラモジュールは請求項３のように、前記枠体は、前記レンズに当接されるレンズ側枠体と前記基板に当接される基板側枠体とに分割して形成され、前記レンズ側枠体と前記基板側枠体とは、前記レンズと前記撮像素子との間の距離を変更可能に取り付けられることを特徴とする。
【００１１】
【発明の実施の形態】
以下、添付図面を参照しつつ、本発明の実施の形態を説明する。図１は本発明に係る第１の実施の形態のカメラモジュールを示す概略断面図である。
【００１２】
本発明の第１の実施の形態におけるカメラモジュールは、図１に示すように、基板５上の撮像素子４とレンズ１とが間隙を有して配置されるように、前記基板５上に枠体２が形成され、前記撮像素子４と前記レンズ１との間に赤外除去フィルタ３を具備するカメラモジュールであって、前記赤外除去フィルタ３は、前記撮像素子４に密接しているものである。
【００１３】
ここで、撮像素子４は、ＣＣＤ、ＣＭＯＳ等の赤外除去フィルタを取り付け得る撮像素子であればいずれの撮像素子であってもよい。
【００１４】
このように、赤外除去フィルタ３が撮像素子４と密接していることにより、赤外除去フィルタ３と撮像素子４との間に空気層が存在しなくなるため、赤外除去フィルタ３を通過した入射光が再び枠体２において反射することがなくなり、カメラモジュール全体が小型化・薄型化してもフレア現象の発生を十分に抑制することができる。また、枠体２にエッジ部を設けて赤外除去フィルタ３を当接させる必要がなくなるため、赤外除去フィルタ３の周辺部がフレア現象の発生し易い領域となることを抑制できる。
【００１５】
なお、赤外除去フィルタ３と撮像素子４とを密接させるために、両者の間に接着剤を流し込んで接着してもよい。
【００１６】
本実施の形態においては、図１に示すように、前記枠体２と前記赤外除去フィルタ３とは、離間しているように構成される。
【００１７】
赤外除去フィルタ３は、撮像素子４を覆うように撮像素子４に密接させればよいため、赤外除去フィルタ３の位置決めを容易に行うことができる。そして、枠体２と赤外除去フィルタ３とを離間させることにより、赤外除去フィルタ３の端面における反射を抑制させることができる。したがって、赤外除去フィルタ３の位置決めを困難にすることなく、赤外除去フィルタ３の端面における反射によるフレア現象の発生を抑制することができる。
【００１８】
続いて、本発明の第２の実施の形態について説明する。図２は本発明に係る第２の実施の形態のカメラモジュールを示す概略断面図である。図２において、第１の実施の形態と同様の構成については同じ符号を付し、説明を省略する。
【００１９】
第２の実施の形態が第１の実施の形態と異なる点は、枠体は、レンズ１に当接されるレンズ側枠体７と基板５に当接される基板側枠体８とに分割して形成され、前記レンズ側枠体７と前記基板側枠体８とは、前記レンズ１と撮像素子４との間の距離を変更可能に取り付けられるように構成することである。
【００２０】
この場合、枠体は、レンズ１側と基板５側（すなわち撮像素子４側）とで別体として形成され、レンズ１と撮像素子４との間の距離を変更可能にすべく、レンズ側枠体７と基板側枠体８とが取り付けられる。これにより、カメラモジュールの形成時において、レンズの取り付けを容易にすることができる。また、ピント調整が可能なカメラモジュールとすることができる。
【００２１】
なお、レンズ側枠体７と基板側枠体８との取り付けには、図２に示すように、ねじ切り６を形成し、螺合することにより形成してもよい。
【００２２】
【発明の効果】
以上のように本発明に係るカメラモジュールによれば、赤外除去フィルタが撮像素子と密接していることにより、赤外除去フィルタと撮像素子の間に空気層が存在しなくなるため、赤外除去フィルタを通過した入射光が再び枠体において反射することがなくなり、カメラモジュール全体が小型化・薄型化してもフレア現象の発生を十分に抑制することができる。また、枠体にエッジ部を設けて赤外除去フィルタを当接させる必要がなくなるため、赤外除去フィルタの周辺部がフレア現象の発生し易い領域となることを抑制することができる。
【図面の簡単な説明】
【図１】本発明に係る第１の実施の形態のカメラモジュールを示す概略断面図
【図２】本発明に係る第２の実施の形態のカメラモジュールを示す概略断面図
【図３】従来のカメラモジュールを示す概略断面図
【符号の説明】
１　レンズ
２　枠体
３　赤外除去フィルタ
４　撮像素子
５　基板
７　レンズ側枠体
８　基板側枠体
【図１】
2004064272.tif 000003
【図２】
2004064272.tif 000004
【図３】
2004064272.tif 000005